(57)【要約】【課題】複数の電力量計のデータを迅速に収集することができるデータ収集システムおよび副親機を得ること。【解決手段】データ収集システム１００は、第１電力線７に接続される主親機１と、第１電力線７と第２電力線８に接続され、第１電力線７と第２電力線８との間にデータを送受信する光結合器２４を有する副親機２とを備える。主親機１は、電力線搬送通信によって第１電力線７を介して第１電力線７に接続される複数の第１電力量計３１，３２，・・・，３ｎからデータを収集する。副親機２は、主親機１が複数の第１電力量計３１，３２，・・・，３ｎからデータを収集する期間に、電力線搬送通信によって第２電力線８を介して第２電力線８に接続される複数の第２電力量計４１，４２，・・・，４ｎからデータを収集した後、収集した複数の第２電力量計４１，４２，・・・，４ｎのデータを主親機１へ第１電力線７を介して送信する。【選択図】図１
2020140479.tif 000002
【特許請求の範囲】
【請求項１】
第１電力線に接続される主親機と、
前記第１電力線と第２電力線とに接続され、前記第１電力線と前記第２電力線との間にデータを送受信する光結合器を有する副親機と、を備え、
前記主親機は、
電力線搬送通信によって前記第１電力線を介して前記第１電力線に接続される複数の第１電力量計からデータを収集し、
前記副親機は、
前記主親機が前記複数の第１電力量計からデータを収集する期間に、前記電力線搬送通信によって前記第２電力線を介して前記第２電力線に接続される複数の第２電力量計からデータを収集した後、収集した前記複数の第２電力量計のデータを前記主親機へ前記第１電力線を介して送信する
ことを特徴とするデータ収集システム。
【請求項２】
前記副親機は、
前記第１電力線に接続され、前記電力線搬送通信を行う第１通信部と、
前記第２電力線に接続され、前記電力線搬送通信を行う第２通信部と、
前記光結合器の一端に接続された第３通信部と、
前記光結合器の他端に接続された第４通信部と、
前記第１通信部を介して前記主親機と通信する第１制御部と、
前記第２通信部を介して前記複数の第２電力量計と通信する第２制御部と、を備え、
前記第２制御部は、
前記主親機が前記複数の第１電力量計からデータを収集する期間に、前記第２通信部を介して順次取得した前記複数の第２電力量計のデータを前記第４通信部から前記光結合器へ順次出力し、
前記第１制御部は、
前記複数の第２電力量計のデータを前記第２制御部から前記第３通信部を介して順次取得し、取得した前記複数の第２電力量計のデータを記憶部に一時的に記憶した後、前記記憶部に記憶した前記複数の第２電力量計のデータを前記主親機へ前記第１通信部を介して送信する
ことを特徴とする請求項１に記載のデータ収集システム。
【請求項３】
前記第１制御部は、
前記複数の第２電力量計のデータの各々に前記副親機の識別情報を付加し、前記副親機の識別情報が付加された前記複数の第２電力量計のデータを前記主親機へ前記第１通信部を介して送信する
ことを特徴とする請求項２に記載のデータ収集システム。
【請求項４】
前記第１制御部は、
前記複数の第２電力量計のデータを圧縮して圧縮データを生成し、生成した圧縮データを前記主親機へ前記第１通信部を介して送信する
ことを特徴とする請求項２または３に記載のデータ収集システム。
【請求項５】
前記第２制御部は、
前記主親機が前記第１電力量計のデータの収集を開始するタイミングに同期したタイミングで、前記第２電力量計のデータの収集を開始する
ことを特徴とする請求項２から４のいずれか一つに記載のデータ収集システム。
【請求項６】
前記第１電力線と前記第２電力線とは異なる系統の電力線である
ことを特徴とする請求項１から５のいずれか一つに記載のデータ収集システム。
【請求項７】
前記第１電力線と前記第２電力線と同一の系統の電力線である
ことを特徴とする請求項１から５のいずれか一つに記載のデータ収集システム。
【請求項８】
第１電力線に接続され、電力線搬送通信を行う第１通信部と、
第２電力線に接続され、電力線搬送通信を行う第２通信部と、
光結合器の一端に接続された第３通信部と、
前記光結合器の他端に接続された第４通信部と、
前記第１通信部を介して主親機と通信する第１制御部と、
前記第２通信部を介して前記第２電力線に接続された複数の第２電力量計と通信する第２制御部と、を備え、
前記第２制御部は、
前記主親機が前記第１電力線に接続された複数の第１電力量計からデータを収集する期間に、前記第２通信部を介して順次取得した前記複数の第２電力量計のデータを前記第４通信部から前記光結合器へ順次出力し、
前記第１制御部は、
前記複数の第２電力量計のデータを前記第２制御部から前記第３通信部を介して順次取得し、取得した前記複数の第２電力量計のデータを記憶部に一時的に記憶した後、前記記憶部に記憶した前記複数の第２電力量計のデータを前記主親機へ前記第１通信部を介して送信する
ことを特徴とする副親機。
【請求項９】
前記第１制御部は、
前記複数の第２電力量計のデータの各々に前記副親機の識別情報を付加し、前記副親機の識別情報が付加された前記複数の第２電力量計のデータを前記主親機へ前記第１通信部を介して送信する
ことを特徴とする請求項８に記載の副親機。
【請求項１０】
前記第１制御部は、
前記複数の第２電力量計のデータを圧縮して圧縮データを生成し、生成した圧縮データを前記主親機へ前記第１通信部を介して送信する
ことを特徴とする請求項８または９に記載の副親機。
【発明の詳細な説明】
【技術分野】
【０００１】
本発明は、各需要家に設置される電力量計から電力線搬送通信によって電力量などのデータを収集するデータ収集システムおよび副親機に関する。
【背景技術】
【０００２】
従来、電力線搬送通信を用いて電力量計から電力量などのデータを収集するデータ収集システムでは、親機が、子機としての機能を有する電力量計から電力線搬送通信によりデータを受信することで、電力量計のデータを収集する。
【０００３】
電力線搬送通信は、電力線に電力を供給する商用電源の周波数より高い周波数の伝送信号を電力線に重畳することによって行われる。親機と子機とが異なる系統の電力線に接続される場合、親機と子機との間にトランスが介在する。そのため、伝送信号の周波数が数百ｋＨｚ以上になると、かかるトランスのインダクタ成分が抵抗として働き、伝送信号が減衰してしまう。かかる減衰によって親機と子機との間でトランスを越えた電力線搬送通信はできないことがある。
【０００４】
特許文献１には、光結合器を介して電力線間に接続され、電力線間での電力線搬送通信を行う技術が開示されており、かかる技術によって異なる電力線間の通信を行うことができる。
【先行技術文献】
【特許文献】
【０００５】
【特許文献１】特開平８−１４９０５３号公報
【発明の概要】
【発明が解決しようとする課題】
【０００６】
しかしながら、１つの電力線に接続された電力量計だけでなく他の電力線に接続された電力量計からもデータを収集しようとすると、１つの親機がデータを収集する電力量計の数が多くなってしまう。また、１つの電力線に接続された電力量計が多い場合も、１つの親機がデータを収集する電力量計の数が多くなる。
【０００７】
電力量計からのデータの収集は、多様な電気料金の契約メニューへの対応または需要家への電力使用量の見える化などのために、リアルタイム性が求められており、例えば３０分間隔で周期的に実行される。そのため、１つの親機がデータを収集する電力量計の数が多すぎると、電力量計からのデータの収集が間に合わなくなるといった課題がある。
【０００８】
本発明は、上記に鑑みてなされたものであって、複数の電力量計のデータを迅速に収集することができるデータ収集システムを得ることを目的とする。
【課題を解決するための手段】
【０００９】
上述した課題を解決し、目的を達成するために、本発明のデータ収集システムは、第１電力線に接続される主親機と、第１電力線と第２電力線とに接続され、第１電力線と第２電力線との間にデータを送受信する光結合器を有する副親機とを備える。主親機は、電力線搬送通信によって第１電力線を介して第１電力線に接続される複数の第１電力量計からデータを収集する。副親機は、主親機が複数の第１電力量計からデータを収集する期間に、電力線搬送通信によって第２電力線を介して第２電力線に接続される複数の第２電力量計からデータを収集した後、収集した複数の第２電力量計のデータを主親機へ第１電力線を介して送信する。
【発明の効果】
【００１０】
本発明によれば、複数の電力量計のデータを迅速に収集することができる、という効果を奏する。
【図面の簡単な説明】
【００１１】
【図１】本発明の実施の形態１にかかるデータ収集システムを説明するための図
【図２】実施の形態１にかかるデータ収集システムの構成例を示す図
【図３】実施の形態１にかかる主親機の構成例を示す図
【図４】実施の形態１にかかる主親機に記憶される収集データテーブルの一例を示す図
【図５】実施の形態１にかかる副親機の構成例を示す図
【図６】実施の形態１にかかる副親機の収集データテーブルの一例を示す図
【図７】実施の形態１にかかるデータ収集システムのデータ収集処理を示すシーケンス図
【図８】実施の形態１にかかる副親機に代えて結合器を設けた場合の電力量計からのデータ収集方法を説明するための図
【図９】実施の形態１にかかるデータ収集平均所要時間を説明するための図
【図１０】実施の形態１にかかるデータ収集システムによって系統すべての電力量計からデータを取得する場合に要する時間を説明するための図
【図１１】実施の形態１にかかる主親機の処理の一例を示すフローチャート
【図１２】実施の形態１にかかる副親機の処理の一例を示すフローチャート
【図１３】実施の形態１にかかる主親機の主ユニットのハードウェア構成の一例を示す図
【図１４】本発明の実施の形態２にかかるデータ収集システムの構成例を示す図
【発明を実施するための形態】
【００１２】
以下に、本発明の実施の形態にかかるデータ収集システムおよび副親機を図面に基づいて詳細に説明する。なお、この実施の形態によりこの発明が限定されるものではない。
【００１３】
実施の形態１．
図１は、本発明の実施の形態１にかかるデータ収集システムを説明するための図である。図１に示すように、実施の形態１にかかるデータ収集システム１００は、第１電力線７に接続され、電力線搬送通信を行う主親機１と、第２電力線８に接続され、電力線搬送通信を行う副親機２とを備える。第１電力線７および第２電力線８は、互いに異なる電源系統の電力線である。副親機２は、第１電力線７と第２電力線８との間にデータを送受信する光結合器２４を有する。
【００１４】
第１電力線７には、電力線搬送通信を行う複数の第１電力量計３１，３２，・・・，３ｎが接続される。第２電力線８には、電力線搬送通信を行う複数の第２電力量計４１，４２，・・・，４ｎが接続される。複数の第１電力量計３１，３２，・・・，３ｎおよび複数の第２電力量計４１，４２，・・・，４ｎの各々は、複数の需要家のうち対応する需要家に設置される。ｎは例えば３以上の整数である。
【００１５】
主親機１は、電力線搬送通信によって第１電力線７を介して複数の第１電力量計３１，３２，・・・，３ｎからデータを収集する。主親機１によって収集される第１電力量計３１，３２，・・・，３ｎのデータは、例えば、第１電力量計３１，３２，・・・，３ｎによって測定される電力量などのデータを含む。
【００１６】
副親機２は、主親機１が複数の第１電力量計３１，３２，・・・，３ｎからデータを収集する期間に、電力線搬送通信によって第２電力線８を介して複数の第２電力量計４１，４２，・・・，４ｎからデータを収集する。副親機２によって収集される第２電力量計４１，４２，・・・，４ｎのデータは、例えば、第２電力量計４１，４２，・・・，４ｎによって測定される電力量などのデータを含む。
【００１７】
副親機２は、収集した複数の第２電力量計４１，４２，・・・，４ｎのデータを収集した後、収集した複数の第２電力量計４１，４２，・・・，４ｎのデータを主親機１へ第１電力線７を介して送信する。
【００１８】
このように、副親機２は、主親機１が複数の第１電力量計３１，３２，・・・，３ｎからデータを収集する期間に、複数の第２電力量計４１，４２，・・・，４ｎからデータを収集する。その後、副親機２は、収集した複数の第２電力量計４１，４２，・・・，４ｎのデータを主親機１へ送信する。これにより、主親機１は、複数の第１電力量計３１，３２，・・・，３ｎおよび複数の第２電力量計４１，４２，・・・，４ｎの各々と１つずつ通信してデータを収集する場合に比べ、複数の第１電力量計３１，３２，・・・，３ｎおよび複数の第２電力量計４１，４２，・・・，４ｎのデータを迅速に収集することができる。
【００１９】
以下、実施の形態１にかかるデータ収集システム１００の構成をさらに具体的に説明する。図２は、実施の形態１にかかるデータ収集システムの構成例を示す図である。図２に示すデータ収集システム１００は、第１電力線７に接続される主親機１と、第１電力線７と第２電力線８１とに接続される副親機２１と、第１電力線７と第２電力線８２とに接続される副親機２２とを備える。第１電力線７、第２電力線８１、および第２電力線８２は、互いに異なるトランス６１，６２，６３に接続されており、互いに異なる電力系統の電力線である。以下、第２電力線８１，８２の各々を区別せずに示す場合、第２電力線８と記載する場合がある。また、第１電力線７を第１系統の電力線と記載し、第２電力線８１を第２系統の電力線と記載し、第２電力線８２を第３系統の電力線と記載する場合がある。
【００２０】
第１電力線７には、電力線搬送通信を行い、主親機１の子機としての機能を有する複数の第１電力量計３１，３２，・・・，３ｎが接続される。第２電力線８１には、電力線搬送通信を行い、副親機２１の子機としての機能を有する複数の第２電力量計４Ａ１，４Ａ２，・・・，４Ａｎが接続される。第２電力線８２には、電力線搬送通信を行い、副親機２２の子機としての機能を有する複数の第２電力量計４Ｂ１，４Ｂ２，・・・，４Ｂｎが接続される。
【００２１】
以下において、複数の第１電力量計３１，３２，・・・，３ｎの各々を区別せずに示す場合、第１電力量計３と記載する場合があり、複数の第２電力量計４Ａ１，４Ａ２，・・・，４Ａｎの各々を区別せずに示す場合、第２電力量計４Ａと記載する場合がある。また、複数の第２電力量計４Ｂ１，４Ｂ２，・・・，４Ｂｎの各々を区別せずに示す場合、第２電力量計４Ｂと記載する場合がある。また、第２電力量計４Ａ，４Ｂの各々を区別せずに示す場合、第２電力量計４と記載する場合がある。なお、複数の第１電力量計３および複数の第２電力量計４は、互いに同じ構成であるが、各々異なる構成であってもよい。また、図２に示す例では、第１電力量計３と、第２電力量計４Ａと、第２電力量計４Ｂとは互いに同じ数であるが、互いに異なる数であってもよい。
【００２２】
主親機１は、電力線搬送通信によって複数の第１電力量計３から第１電力線７を介してデータを取得する。主親機１は、副親機２１によって収集された複数の第２電力量計４Ａのデータを副親機２１から取得する。主親機１は、副親機２２によって収集された複数の第２電力量計４Ｂのデータを副親機２２から取得する。
【００２３】
副親機２１は、主親機１が複数の第１電力量計３からデータを収集する期間に、電力線搬送通信によって複数の第２電力量計４Ａから第２電力線８１を介してデータを取得する。副親機２２は、主親機１が複数の第１電力量計３からデータを収集する期間に、電力線搬送通信によって複数の第２電力量計４Ｂから第２電力線８２を介してデータを取得する。副親機２１，２２は、互いに同じ構成であり、副親機２１，２２の各々を区別せずに示す場合、副親機２と記載する場合がある。
【００２４】
図３は、実施の形態１にかかる主親機の構成例を示す図である。図３に示すように、実施の形態１にかかる主親機１は、ＡＣ（Alternating  Current）結合部１１と、アナログフロントエンド部１２と、主ユニット１３とを備える。
【００２５】
ＡＣ結合部１１は、第１電力線７に接続され、電力線搬送通信のアナログ伝送信号を、第１電力線７に重畳したり第１電力線７から抽出したりする。かかるＡＣ結合部１１は、例えば、トランスなどによって構成される。アナログフロントエンド部１２は、ＡＣ結合部１１によって抽出されたアナログ伝送信号をデジタル伝送信号に変換して主ユニット１３へ出力し、主ユニット１３から出力されるデジタル伝送信号をアナログ伝送信号へ変換してＡＣ結合部１１へ出力する。
【００２６】
主ユニット１３は、ＰＬＣ（Power  Line  Communications）通信部１４と、記憶部１６と、制御部１５と、上位通信部１７とを備える。ＰＬＣ通信部１４は、制御部１５から出力されるデータに応じたデジタル伝送信号を生成し、生成したデジタル伝送信号をアナログフロントエンド部１２へ出力する。また、ＰＬＣ通信部１４は、アナログフロントエンド部１２から出力されるデジタル伝送信号からデータを抽出し、抽出したデータを制御部１５へ出力する。
【００２７】
制御部１５は、データ収集タイミングになった場合、複数の第１電力量計３の各々へデータの送信を要求するデータ送信要求を含むデータを順次ＰＬＣ通信部１４へ出力する。これにより、ＰＬＣ通信部１４は、データ送信要求を含むデジタル伝送信号を順次生成し、ＡＣ結合部１１からデータ送信要求を含むアナログ伝送信号が第１電力線７へ順次出力される。記憶部１６には、複数の第１電力量計３の識別情報が記憶されており、制御部１５は、記憶部１６に記憶された複数の第１電力量計３の識別情報を順次宛先としたデータ送信要求のデータを順次生成し、生成したデータをＰＬＣ通信部１４へ順次出力する。
【００２８】
制御部１５は、複数の第１電力量計３から第１電力線７へデータ送信要求に応じて順次送信されるデータをＰＬＣ通信部１４経由で取得し、取得した複数の第１電力量計３のデータを記憶部１６に記憶する。また、制御部１５は、複数の第１電力量計３からのデータ収集が終了すると、副親機２１，２２へデータの送信を要求するデータ送信要求をＰＬＣ通信部１４へ順次出力する。これにより、副親機２１，２２へデータ送信要求を含むアナログ伝送信号が第１電力線７へ順次出力される。制御部１５は、副親機２１から第２電力線８１へデータ送信要求に応じて送信される複数の第２電力量計４ＡのデータをＰＬＣ通信部１４経由で取得し、取得した複数の第２電力量計４Ａのデータを記憶部１６に記憶する。また、制御部１５は、副親機２２から第２電力線８２へデータ送信要求に応じて送信される複数の第２電力量計４ＢのデータをＰＬＣ通信部１４経由で取得し、取得した複数の第２電力量計４Ｂのデータを記憶部１６に記憶する。
【００２９】
上述したデータ収集タイミングは、一定の周期で発生する。例えば、３０分周期でデータ収集タイミングが発生する。これにより、制御部１５は、一定の周期で、第１電力量計３のデータ、第２電力量計４Ａのデータ、および第２電力量計４Ｂのデータを収集することができる。
【００３０】
記憶部１６は、上述した通信用の識別情報である各第１電力量計３の識別情報を記憶する。また、記憶部１６は、制御部１５によって収集された第１電力量計３のデータ、第２電力量計４Ａのデータ、および第２電力量計４Ｂのデータを含む収集データテーブルを記憶する。
【００３１】
図４は、実施の形態１にかかる主親機に記憶される収集データテーブルの一例を示す図である。図４に示す収集データテーブルは、「識別情報」と「測定値」とが各々関連付けられた複数のデータを含む。「識別情報」は、電力量計からデータを直接収集した親機の識別情報と電力量計の識別情報とを含む情報である。親機の識別情報は、例えば、親機の製造番号または通信用の識別情報などであり、電力量計の識別情報は、電力量計の製造番号または通信用の識別情報などである。
【００３２】
図４に示す例では、主親機１の識別情報は、「Ａ１」であり、副親機２１の識別情報は、「Ｂ１」であり、副親機２２の識別情報は、「Ｂ２」である。第１電力量計３１の識別情報は、「０００１」であり、第１電力量計３２の識別情報は、「０００２」である。第２電力量計４Ａ１の識別情報は、「００１１」であり、第２電力量計４Ａ２の識別情報は、「００１２」である。第２電力量計４Ｂ１の識別情報は、「００２１」であり、第２電力量計４Ｂ２の識別情報は、「００２２」である。
【００３３】
図４に示す例では、識別情報「Ａ１＿０００１」は、主親機１の識別情報と第１電力量計３１の識別情報とを含んでおり、第１電力量計３１からデータを収集した親機が主親機１であることを示す。また、例えば、識別情報「Ｂ１＿００１２」は、副親機２１の識別情報と第２電力量計４Ａ２の識別情報とを含んでおり、第２電力量計４２からデータを収集した親機が副親機２１であることを示す。また、例えば、識別情報「Ｂ２＿００２１」は、副親機２２の識別情報と第２電力量計４Ｂ１の識別情報とを含んでおり、第２電力量計４Ｂ１からデータを収集した親機が副親機２２であることを示す。
【００３４】
「測定値」は、電力量計によって測定された値を示す。例えば、「測定値」は、電力量計によって測定される電力量であって需要家に供給される電力量の値である。かかる「測定値」は、検針値または指示値とも呼ばれることがある。なお、「測定値」は、電力量に限定されず、例えば、測定値を得た時間である測定時間の情報を含んでもよく、また、需要家に供給される電圧および電流の値などを含んでもよい。図４に示す例では、例えば、主親機１が収集した第１電力量計３１のデータには、測定値「１２８７１」が含まれ、副親機２１が収集した第２電力量計４Ａ１のデータには、測定値「２８４５３」が含まれることを示している。
【００３５】
上位通信部１７は、不図示の上位管理装置と無線または有線よって通信する通信部である。制御部１５は、収集した電力量計のデータを上位通信部１７から不図示の上位管理装置へ送信させることができる。具体的には、制御部１５は、一定の周期で、記憶部１６に記憶された第１電力量計３のデータ、第２電力量計４Ａのデータ、および第２電力量計４Ｂのデータを上位通信部１７から不図示の上位管理装置へ送信させる。かかる一定の周期は、上述したデータ収集タイミングと同期した周期であり、例えば、３０分周期である。
【００３６】
図５は、実施の形態１にかかる副親機の構成例を示す図である。図５に示すように、実施の形態１にかかる副親機２は、第１ＡＣ結合部２１と、第１アナログフロントエンド部２２と、第１ユニット２３と、光結合器２４１，２４２と、第２ＡＣ結合部２５と、第２アナログフロントエンド部２６と、第２ユニット２７とを備える。
【００３７】
第１ユニット２３は、第１通信部３１と、第３通信部３２と、第１制御部３３と、記憶部３４とを備える。また、第２ユニット２７は、第２通信部４１と、第４通信部４２と、第２制御部４３と、記憶部４４とを備える。
【００３８】
第１ＡＣ結合部２１は、第１電力線７に接続され、電力線搬送通信のアナログ伝送信号を、第１電力線７に重畳したり第１電力線７から抽出したりする。かかる第１ＡＣ結合部２１は、例えば、トランスなどによって構成される。第１アナログフロントエンド部２２は、第１ＡＣ結合部２１によって抽出されたアナログ伝送信号をデジタル伝送信号に変換して第１ユニット２３へ出力し、第１ユニット２３から出力されるデジタル伝送信号をアナログ伝送信号へ変換して第１ＡＣ結合部２１へ出力する。
【００３９】
第１通信部３１は、第１ＡＣ結合部２１および第１アナログフロントエンド部２２を介して第１電力線７に接続され、主親機１との間で第１電力線７を介した電力線搬送通信を行う。第３通信部３２は、光結合器２４１，２４２の一端に接続され、第２ユニット２７の第４通信部４２との間で通信を行う。光結合器２４１，２４２は、図１に示す光結合器２４である。
【００４０】
第１制御部３３は、第２ユニット２７から光結合器２４１を介して第３通信部３２で受信されるデータを記憶部３４に記憶されている収集データテーブルに追加する。副親機２が副親機２１の場合、第２ユニット２７から光結合器２４１を介して第３通信部３２で受信されるデータは、複数の第２電力量計４Ａのデータである。副親機２が副親機２２の場合、第２ユニット２７から光結合器２４１を介して第３通信部３２で受信されるデータは、複数の第２電力量計４Ｂのデータである。
【００４１】
副親機２１で受信される第２電力量計４Ａのデータには、第２電力量計４Ａの測定値と第２電力量計４Ａの識別情報とが含まれる。同様に、副親機２２で受信される第２電力量計４Ｂのデータには、第２電力量計４Ｂの測定値と第２電力量計４Ｂの識別情報とが含まれる。
【００４２】
第１制御部３３は、第２電力量計４のデータに副親機２の識別情報を順次付加する。そして、第１制御部３３は、副親機２の識別情報を付加した第２電力量計４のデータを圧縮し、圧縮したデータを記憶部３４に記憶する。第１制御部３３は、副親機２が副親機２１の場合、副親機２１の識別情報を付加した第２電力量計４Ａのデータを生成し、副親機２が副親機２２の場合、副親機２２の識別情報を付加した第２電力量計４Ｂのデータを生成する。
【００４３】
図６は、実施の形態１にかかる副親機の収集データテーブルの一例を示す図である。図６に示すように、副親機２の記憶部３４に記憶される収集データテーブルは、「識別情報」と「測定値」とが各々関連付けられた複数のデータを含む。「識別情報」は、第２電力量計４からデータを収集した副親機２の識別情報と第２電力量計４の識別情報とを含む情報である。なお、収集データテーブルは、第１制御部３３によって一括してデータ圧縮された圧縮データであるが、収集データテーブルの各第２電力量計４のデータが個別に圧縮されてもよい。
【００４４】
図６に示す例では、副親機２１の記憶部３４に記憶されるデータを示しており、識別情報「Ｂ１＿００１１」と測定値「２８４５３」とが関連付けられたデータと、識別情報「Ｂ１＿００１２」と測定値「７１５４２」とが関連付けられたデータとを含む。識別情報「Ｂ１＿００１１」は、第２電力量計４Ａ１からデータを副親機２１が収集したことを示し、識別情報「Ｂ１＿００１２」は、第２電力量計４Ａ２からデータを副親機２１が収集したことを示す。
【００４５】
図５に戻って、第１制御部３３の説明を続ける。第３通信部３２の第２ユニット２７との間の通信は、光結合器２４１内の発光による信号の受け渡しになるため、１ビット伝送となる。第１制御部３３は、データ変換部を有しており、第３通信部３２から出力されるシリアルデータをパラレルデータに変換し、変換したパラレルデータを記憶部３４に記憶する。なお、副親機２に複数の光結合器２４１を設けることで、第３通信部３２の第２ユニット２７との間の通信をパラレル通信とすることもできる。
【００４６】
第１制御部３３は、主親機１からのデータ送信要求に基づいて、記憶部３４に記憶されている圧縮データを第１通信部３１から第１電力線７を介した電力線搬送通信によって主親機１へ送信させる。第１制御部３３が第１通信部３１から主親機１へ送信させるデータは、副親機２が副親機２１の場合、複数の第２電力量計４Ａの圧縮データであり、副親機２が副親機２２の場合、複数の第２電力量計４Ｂの圧縮データである。
【００４７】
光結合器２４１，２４２は、第３通信部３２と第４通信部４２との間を光通信によって接続するための光結合器である。光結合器２４１，２４２は、例えば、フォトカプラなどによって構成される。かかる光結合器２４１，２４２によって、第１ＡＣ結合部２１、第１アナログフロントエンド部２２、および第１ユニット２３と、第２ＡＣ結合部２５、第２アナログフロントエンド部２６、および第２ユニット２７とが電気的に絶縁される。
【００４８】
第２ＡＣ結合部２５は、第２電力線８に接続され、電力線搬送通信のアナログ伝送信号を、第２電力線８に重畳したり第２電力線８から抽出したりする。かかる第２ＡＣ結合部２５は、例えば、トランスなどによって構成される。第２アナログフロントエンド部２６は、第２ＡＣ結合部２５によって抽出されたアナログ伝送信号をデジタル伝送信号に変換して第２ユニット２７へ出力し、第２ユニット２７から出力されるデジタル伝送信号をアナログ伝送信号へ変換して第２ＡＣ結合部２５へ出力する。
【００４９】
第２通信部４１は、第２ＡＣ結合部２５および第２アナログフロントエンド部２６を介して第２電力線８に接続され、第２電力量計４と第２電力線８を介して電力線搬送通信を行う。第２通信部４１は、例えば、副親機２が副親機２１である場合、第２電力量計４Ａと第２電力線８１を介して電力線搬送通信を行い、副親機２が副親機２２である場合、第２電力量計４Ｂと第２電力線８２を介して電力線搬送通信を行う。第４通信部４２は、光結合器２４１，２４２の他端に接続され、第１ユニット２３との間で通信を行う。
【００５０】
第２制御部４３は、データ収集タイミングになった場合、第２電力線８に接続された複数の第２電力量計４に順次データ送信要求を含むデータを第２通信部４１へ出力し、第２通信部４１から第２電力線８を介した電力線搬送通信によってデータ送信要求を送信させる。記憶部４４には、通信用の識別情報として複数の第２電力量計４の識別情報が記憶されており、第２制御部４３は記憶部４４に記憶された複数の第２電力量計４の識別情報を順次宛先としたデータ送信要求のデータを順次生成し、生成したデータを第２通信部４１へ順次出力する。第２制御部４３は、かかるデータ送信要求に応じて複数の第２電力量計４から順次第２電力線８を介して送信されるデータを第２通信部４１から取得する。
【００５１】
第２制御部４３がデータの収集を開始するデータ収集タイミングは、制御部１５がデータの収集を開始するデータ収集タイミングと同時刻で発生するタイミングであり、例えば、３０分周期で発生する。なお、制御部１５のデータ収集タイミングと第２制御部４３のデータ収集タイミングとは、データの収集対象になる電力量計の数の差に応じてずれたタイミングであってもよい。例えば、第２電力量計４の数が第１電力量計３の数よりも多い場合、第２制御部４３のデータ収集タイミングは制御部１５のデータ収集タイミングよりも早いタイミングで発生させることができる。
【００５２】
第２制御部４３が第２通信部４１を介して取得するデータは、副親機２が副親機２１の場合、複数の第２電力量計４Ａのデータであり、副親機２が副親機２２の場合、複数の第２電力量計４Ｂのデータである。第２制御部４３は、第２電力量計４のデータを取得する毎に、取得した第２電力量計４のデータを第４通信部４２から第１ユニット２３へ送信する。
【００５３】
なお、第１制御部３３は、第３通信部３２から、光結合器２４２を介してデータを第２ユニット２７へ送信することができる。例えば、第１制御部３３は、主親機１から第１電力線７へ送信されるデータを第１通信部３１から取得し、取得したデータを第３通信部３２から光結合器２４２へ出力することができる。この場合、第２制御部４３は、光結合器２４２および第４通信部４２を介して第１制御部３３からのデータを取得する。第２制御部４３は、取得したデータが第２電力量計４の制御データである場合、かかる制御データを第２電力量計４へ第２通信部４１から出力させることができる。また、第２制御部４３は、取得したデータが第２電力量計４の識別情報である場合、取得した第２電力量計４の識別情報を記憶部４４に記憶することができる。かかる第２電力量計４の識別情報は、例えば、上述したデータ送信要求の宛先として用いられる。
【００５４】
図７は、実施の形態１にかかるデータ収集システムのデータ収集処理を示すシーケンス図である。図７に示すように、主親機１の制御部１５は、第１電力量計３１，３２，・・・，３ｎからデータの収集を行う。具体的には、主親機１の制御部１５は、第１電力量計３１，３２，・・・，３ｎに順次データ送信要求を行い（ステップＳ１１１，Ｓ１１２，・・・，Ｓ１１ｎ）、第１電力量計３１，３２，・・・，３ｎから順次データを取得する（ステップＳ１２１，Ｓ１２２，・・・，Ｓ１２ｎ）。そして、主親機１は、収集したデータに主親機１の識別情報を付加し、主親機１の識別情報を付加したデータを記憶する（ステップＳ１３）。なお、主親機１は、収集したデータに第１電力量計３の識別情報が付加されていない場合、収集したデータに主親機１の識別情報および第１電力量計３の識別情報を付加し、主親機１の識別情報および第１電力量計３の識別情報を付加したデータを記憶する。
【００５５】
また、副親機２１の第２制御部４３は、主親機１が第１電力量計３のデータを収集する期間（ステップＳ１１１〜Ｓ１２ｎ）において、複数の第２電力量計４Ａからデータの収集を行う。具体的には、副親機２１の第２制御部４３は、第２電力量計４Ａ１，４Ａ２，・・・，４Ａｎに順次データ送信要求を行い（ステップＳ２１１，Ｓ２１２，・・・，Ｓ２１ｎ）、第２電力量計４Ａ１，４Ａ２，・・・，４Ａｎから順次データを取得する（ステップＳ２２１，Ｓ２２２，・・・，Ｓ２２ｎ）。そして、副親機２１の第１制御部３３は、収集したデータに順次識別情報を付加し（ステップＳ２３）、データ圧縮を行う（ステップＳ２４）。具体的には、副親機２１の第１制御部３３は、第２電力量計４Ａ１，４Ａ２，・・・，４Ａｎのデータに副親機２１の識別情報を順次付加し、副親機２１の識別情報を付加した第２電力量計４Ａ１，４Ａ２，・・・，４Ａｎのデータを一括または個別に圧縮する。第１制御部３３は、圧縮したデータを記憶部３４に記憶する。なお、副親機２１の第２制御部４３は、収集したデータに第２電力量計４Ａの識別情報が付加されていない場合、収集したデータに副親機２１の識別情報および第２電力量計４Ａの識別情報を付加する。
【００５６】
また、副親機２２の第２制御部４３は、主親機１が第１電力量計３のデータを収集する期間（ステップＳ１１１〜Ｓ１２ｎ）において、複数の第２電力量計４Ｂからデータの収集を行う。具体的には、副親機２２の第２制御部４３は、第２電力量計４Ｂ１，４Ｂ２，・・・，４Ｂｎに順次データ送信要求を行い（ステップＳ３１１，Ｓ３１２，・・・，Ｓ３１ｎ）、第２電力量計４Ｂ１，４Ｂ２，・・・，４Ｂｎから順次データを取得する（ステップＳ３２１，Ｓ３２２，・・・，Ｓ３２ｎ）。そして、副親機２２の第１制御部３３は、収集したデータに順次識別情報を付加し（ステップＳ３３）、データ圧縮を行う（ステップＳ３４）。具体的には、副親機２２の第１制御部３３は、第２電力量計４Ｂ１，４Ｂ２，・・・，４Ｂｎのデータに識別情報を順次付加し、識別情報を付加した第２電力量計４Ｂ１，４Ｂ２，・・・，４Ｂｎのデータを一括または個別に圧縮する。第１制御部３３は、圧縮したデータを記憶部３４に記憶する。なお、副親機２２の第２制御部４３は、収集したデータに第２電力量計４Ｂの識別情報が付加されていない場合、収集したデータに副親機２２の識別情報および第２電力量計４Ｂの識別情報を付加する。
【００５７】
その後、主親機１の制御部１５は、副親機２１および副親機２２からデータ収集を行う。具体的には、主親機１の制御部１５は、副親機２１にデータ送信要求を行い（ステップＳ１４）、副親機２１から複数の第２電力量計４Ａの圧縮データを取得する（ステップＳ１５）。また、主親機１の制御部１５は、副親機２２にデータ送信要求を行い（ステップＳ１６）、副親機２２から複数の第２電力量計４Ｂの圧縮データを取得する（ステップＳ１７）。
【００５８】
その後、主親機１の制御部１５は、ステップＳ１５，Ｓ１７で取得した圧縮データを解凍するデータ解凍を行い（ステップＳ１８）、解凍した複数の第２電力量計４Ａ，４Ｂのデータを記憶部１６に記憶するデータ記憶を行う（ステップＳ１９）。
【００５９】
このように、データ収集システム１００は、主親機１が第１電力量計３のデータを収集する期間に、副親機２１が第２電力量計４Ａのデータを副親機２２が第２電力量計４Ｂのデータを各々並行して収集する。そして、その後、主親機１が、副親機２１から第２電力量計４Ａのデータを収集し、副親機２２から第２電力量計４Ｂのデータを収集する。これにより、主親機１は、複数の第１電力量計３および複数の第２電力量計４Ａ，４Ｂの各々と１つずつ通信してデータを収集する場合に比べ、複数の第１電力量計３および複数の第２電力量計４Ａ，４Ｂを含む複数の電力量計のデータを迅速に収集することができる。主親機１は、第１系統の第１電力量計３のデータに加え、第２系統の第２電力量計４Ａおよび第３系統の第２電力量計４Ｂからもデータを収集することができる。
【００６０】
図８は、実施の形態１にかかる副親機に代えて結合器を設けた場合の電力量計からのデータ収集方法を説明するための図である。図８では、第１電力量計３、第２電力量計４Ａ、および第２電力量計４Ｂの数が各々１５０で計４５０であり、測定値のデータ量が３０バイトであり、通信速度が５ｋｂｐｓである例を示している。また、図８に示す結合器９１，９２は、系統間の絶縁を保ちつつ異なる系統間の電力線搬送通信を可能に結合するフォトカプラなどの部品または機器であり、データを記憶する機能を有していない。
【００６１】
図８に示す例では、主親機１は、第１電力量計３１〜３ｎ、第２電力量計４Ａ１〜４Ａｎ、および第２電力量計４Ｂ１〜４Ｂｎの各々にデータ送信要求を行う。そのため、第１電力量計３１〜３ｎのデータ収集、第２電力量計４Ａ１〜４Ａｎのデータ収集、および第２電力量計４Ｂ１〜４Ｂｎのデータ収集にいずれも同じ時間かかっている。図８に示す例では、１つの電力量計からデータを収集するのに要する平均時間が１０．５７６秒であり、全ての電力量計からデータを収集するのに要する時間は、１５８６．４秒＝１０．５７６秒×１５０である。
【００６２】
ここで、１つの電力量計からデータを収集するのに要する平均時間であるデータ収集平均所要時間について説明する。図９は、実施の形態１にかかるデータ収集平均所要時間を説明するための図であり、主親機１が複数の第１電力量計３１〜３４からデータを収集する例を示す。
【００６３】
データ収集システム１００で用いられる電力線搬送通信は、電力線を通信線として利用するため、電力線に接続されている電気機器の影響を受け、長距離通信できない場合がある。そのため、データ収集システム１００において、電力量計が通信の中継も行うマルチホップ通信が採用されている。
【００６４】
データ収集に要する時間であるデータ収集時間を「Ｔａ」とすると、データ収集時間Ｔａは、下記式（１）の演算で求めることができる。式（１）において、「Ｎ」は、ホップスであり、「Ｔｃｍ」は、データが送受信される時間であるデータ通信時間であり、「Ｔｃｎ」は、データを送受信する装置間で通信接続が行われる時間である通信接続時間である。
Ｔａ＝Ｔｃｍ×２×Ｎ＋Ｔｃｎ×２×（Ｎ−１）  ・・・（１）
【００６５】
データ通信時間Ｔｃｍは、下記式（２）で求められる。下記式（２）において、「Ｄａ」は送受信されるデータの量であり、「Ｖｃｍ」は、通信速度である。
Ｔｃｍ＝Ｄａ／Ｖｃｍ      ・・・（２）
【００６６】
ここで、測定値のデータ量が３０バイト、すなわち２４０ビットであり、且つ通信速度が５ｋｂｐｓであれば、上記式（２）から、データ通信時間Ｔｃｍは、図９に示すように、４８ミリ秒である。ここで、通信接続時間Ｔｃｎが１秒であり、平均ホップ数が「６」であるとすると、上記式（１）から、１つの電力量計からデータを収集するために要する平均的な時間であるデータ収集平均所要時間は、１０．５７６秒＝０．０４８×２×６＋１×２×（６−１）である。したがって、１５０台の電力量計からデータを収集する場合に要する時間は、図８に示すように、１５８６．４秒＝１０．５７６秒×１５０である。そのため、３系統すべての電力量計からデータを取得する場合に要する時間は、４７５９．２秒＝１５８６．４秒×３である。
【００６７】
次に、実施の形態１にかかるデータ収集システム１００によって３系統すべての電力量計からデータを取得する場合に要する時間について説明する。図１０は、実施の形態１にかかるデータ収集システムによって系統すべての電力量計からデータを取得する場合に要する時間を説明するための図であり、図８に示す結合器を副親機２に置き換えた以外の条件は、図８の場合と同じ条件である。
【００６８】
図１０に示すように、実施の形態１にかかるデータ収集システム１００では、主親機１が複数の第１電力量計３からデータを収集する期間に、副親機２１が複数の第２電力量計４Ａからデータを収集し且つ副親機２２が複数の第２電力量計４Ｂからデータを収集する。また、副親機２１，２２は、収集したデータに対してデータ圧縮を行う。図１０に示す例では、データ圧縮に要する時間は、５秒である。
【００６９】
副親機２１および副親機２２によるデータの圧縮率を５０％とした場合、１５０台分のデータは１５０×３０×０．５＝２５５０バイトである。そして、データ収集要求が３０バイトとすると、主親機１が副親機２から圧縮データを収集するのに要する時間は、７．２９６秒である。また、図１０に示す例では、主親機１が副親機２１および副親機２２から各々取得した圧縮データを解凍処理する時間は、１０秒である。
【００７０】
したがって、主親機１が３系統すべての電力量計からデータを取得する場合に要する時間は、１６０８．６９６秒＝１５８６．４秒＋５秒＋３．６４８秒×２＋１０秒である。図８に示す例では、主親機１が３系統すべての電力量計からデータを取得する場合に要する時間は、４７５９．２秒であり、データ収集システム１００では、主親機１が電力量計からデータを取得する場合に要する時間が大幅に圧縮されていることがわかる。このように、データ収集システム１００は、複数の第１電力量計３および複数の第２電力量計４を含む複数の電力量計のデータを迅速に収集することができる。
【００７１】
なお、上述した例では、データ収集システム１００は、ポーリングによって第１電力量計３および第２電力量計４からデータの収集を行っており、これにより、主親機１および副親機２１，２２の制御プログラムを簡易にすることができる。なお、データ収集システム１００によるデータの収集方式はかかる例に限定されない。例えば、データ収集システム１００は、発呼方式のデータ収集を行うことができる。この場合、主親機１の制御部１５は、第１電力量計３が自律的に送信するデータを受信し、副親機２の第２制御部４３は、第２電力量計４が自律的に送信するデータを受信する。なお、各第１電力量計３は、データを送信するタイミングが互いに異なる。同様に、各第２電力量計４Ａは、データを送信するタイミングが互いに異なり、各第２電力量計４Ｂは、データを送信するタイミングが互いに異なる。なお、第１電力量計３および第２電力量計４Ａ，４Ｂの各々のデータの送信周期はポーリングの場合と同様である。
【００７２】
また、上述した例では、副親機２は、収集した電力量計のデータを圧縮して主親機１へ送信するが、副親機２は、収集した電力量計のデータをそのまま送信することもできる。例えば、副親機２は、データ収集対象の電力量計の数が予め設定された数よりも少ない場合、収集した電力量計のデータをそのまま送信し、データ収集対象の電力量計の数が予め設定された数以上である場合に、収集した電力量計のデータを圧縮することができる。
【００７３】
つづいて、主親機１の動作を、フローチャートを用いて説明する。図１１は、実施の形態１にかかる主親機の処理の一例を示すフローチャートである。図１１に示す処理は、主親機１によって繰り返し実行される。
【００７４】
図１１に示すように、主親機１の制御部１５は、データ収集タイミングになったか否かを判定する（ステップＳ４０）。データ収集タイミングは、予め設定された周期で発生する。制御部１５は、データ収集タイミングになったと判定した場合（ステップＳ４０：Ｙｅｓ）、第１電力量計３を１つ選択する（ステップＳ４１）。制御部１５は、選択した第１電力量計３にデータ送信要求を行い（ステップＳ４２）、データ送信要求先の第１電力量計３からデータを取得する（ステップＳ４３）。
【００７５】
制御部１５は、ステップＳ４３で取得した第１電力量計３のデータに識別情報を付加したデータを生成して記憶部１６に記憶する（ステップＳ４４）。ステップＳ４４で制御部１５により記憶部１６に記憶されるデータには、第１電力量計３の測定値、第１電力量計３の識別情報、および主親機１の識別情報が含まれる。ステップＳ４４の処理が終了した後、制御部１５は、第１電力線７に接続された全ての第１電力量計３を選択したか否かを判定する（ステップＳ４５）。制御部１５は、全ての第１電力量計３を選択していないと判定した場合（ステップＳ４５：Ｎｏ）、処理をステップＳ４１に移行する。
【００７６】
制御部１５は、全ての第１電力量計３を選択したと判定した場合（ステップＳ４５：Ｙｅｓ）、副親機２を１つ選択する（ステップＳ４６）。制御部１５は、選択した副親機２にデータ送信要求を行い（ステップＳ４７）、データ送信要求先の副親機２から圧縮データを取得する（ステップＳ４８）。制御部１５は、第２電力線８に接続された全ての副親機２を選択したか否かを判定する（ステップＳ４９）。制御部１５は、全ての副親機２を選択していないと判定した場合（ステップＳ４９：Ｎｏ）、処理をステップＳ４６に移行する。
【００７７】
制御部１５は、全ての副親機２を選択したと判定した場合（ステップＳ４９：Ｙｅｓ）、副親機２から取得した圧縮データを解凍し、解凍したデータを記憶部１６に記憶する（ステップＳ５０）。制御部１５は、データ収集タイミングになっていないと判定した場合（ステップＳ４０：Ｎｏ）、またはステップＳ５０の処理が終了した場合、図１１に示す処理を終了する。なお、制御部１５は、ステップＳ５０の処理に代えて、ステップＳ４８で副親機２から圧縮データを取得する毎に、取得した圧縮データを解凍する処理を行うこともできる。
【００７８】
つづいて、副親機２１の動作を、フローチャートを用いて説明する。図１２は、実施の形態１にかかる副親機の処理の一例を示すフローチャートである。図１２に示す処理は、副親機２１によって繰り返し実行される。なお、副親機２２の動作は、副親機２１の動作と同じである。
【００７９】
図１２に示すように、副親機２１の第２制御部４３は、データ収集タイミングになったか否かを判定する（ステップＳ６０）。データ収集タイミングは、予め設定された周期で発生する。第２制御部４３は、データ収集タイミングになったと判定した場合（ステップＳ６０：Ｙｅｓ）、第２電力線８１に接続された第２電力量計４Ａを１つ選択する（ステップＳ６１）。第２制御部４３は、選択した第２電力量計４Ａにデータ送信要求を行い（ステップＳ６２）、データ送信要求先の第２電力量計４Ａからデータを取得する（ステップＳ６３）。
【００８０】
第２制御部４３は、取得した第２電力量計４Ａのデータを光結合器２４１の他端へ出力する（ステップＳ６４）。副親機２１の第１制御部３３は、光結合器２４１の一端から出力される第２電力量計４Ａのデータを取得し（ステップＳ６５）、取得した第２電力量計４Ａのデータに識別情報を付加して記憶部３４に記憶する（ステップＳ６６）。ステップＳ６６で第１制御部３３により記憶部３４に記憶されるデータには、第２電力量計４Ａの測定値、第２電力量計４Ａの識別情報、および副親機２１の識別情報が含まれる。
【００８１】
第２制御部４３は、第２電力線８１に接続された同一系統内の全ての第２電力量計４Ａを選択したか否かを判定する（ステップＳ６７）。第２制御部４３は、全ての第２電力量計４Ａを選択していないと判定した場合（ステップＳ６７：Ｎｏ）、処理をステップＳ６１に移行する。また、第１制御部３３は、第２制御部４３が全ての第２電力量計４Ａを選択したと判定した場合（ステップＳ６７：Ｙｅｓ）、第２制御部４３から取得して記憶部３４に記憶された全ての第２電力量計４Ａのデータを読み出して圧縮し、圧縮したデータを記憶部３４に記憶する（ステップＳ６８）。
【００８２】
その後、第１制御部３３は、主親機１からデータ送信要求があるか否かを判定する（ステップＳ６９）。第１制御部３３は、主親機１からデータ送信要求がないと判定した場合（ステップＳ６９：Ｎｏ）、ステップＳ６９の処理を繰り返し行う。第１制御部３３は、データ送信要求があると判定した場合（ステップＳ６９：Ｙｅｓ）、圧縮した全ての第２電力量計４Ａのデータである圧縮データを主親機１へ送信する（ステップＳ７０）。副親機２１は、データ収集タイミングになっていないと判定した場合（ステップＳ６０：Ｎｏ）、またはステップＳ７０の処理が終了した場合、図１２に示す処理を終了する。
【００８３】
図１３は、実施の形態１にかかる主親機の主ユニットのハードウェア構成の一例を示す図である。図１３に示すように、主親機１の主ユニット１３は、プロセッサ１０１と、メモリ１０２と、通信装置１０３とを備えるコンピュータを含む。プロセッサ１０１、メモリ１０２、および通信装置１０３は、例えば、バス１０４によって互いにデータの送受信が可能である。ＰＬＣ通信部１４および上位通信部１７は、通信装置１０３によって実現される。記憶部１６は、メモリ１０２によって実現される。プロセッサ１０１は、メモリ１０２に記憶されたプログラムを読み出して実行することによって、制御部１５の機能を実行する。プロセッサ１０１は、処理回路の一例であり、例えば、ＣＰＵ（Central  Processing  Unit）、ＤＳＰ（Digital  Signal  Processer）、およびシステムＬＳＩ（Large  Scale  Integration）のうち１つ以上を含む。
【００８４】
メモリ１０２は、ＲＡＭ（Random  Access  Memory）、ＲＯＭ（Read  Only  Memory）、フラッシュメモリ、ＥＰＲＯＭ（Erasable  Programmable  Read  Only  Memory）、およびＥＥＰＲＯＭ（登録商標）（Electrically  Erasable  Programmable  Read  Only  Memory）のうち１つ以上を含む。また、メモリ１０２は、コンピュータが読み取り可能なプログラムが記録された記録媒体を含む。かかる記録媒体は、不揮発性または揮発性の半導体メモリ、磁気ディスク、フレキシブルメモリ、光ディスク、コンパクトディスク、およびＤＶＤ（Digital  Versatile  Disc）のうち１つ以上を含む。
【００８５】
また、副親機２の第１ユニット２３も主親機１の主ユニット１３と同様に、図１３に示すハードウェア構成を有する。第１通信部３１および第３通信部３２は、通信装置１０３によって実現され、記憶部３４は、メモリ１０２によって実現される。プロセッサ１０１は、メモリ１０２に記憶されたプログラムを読み出して実行することによって、第１制御部３３の機能を実行する。また、副親機２の第２ユニット２７も主親機１の主ユニット１３と同様に、図１３に示すハードウェア構成を有する。第２通信部４１および第４通信部４２は、通信装置１０３によって実現され、プロセッサ１０１は、メモリ１０２に記憶されたプログラムを読み出して実行することによって、第２制御部４３の機能を実行する。なお、主親機１および副親機２は、ＡＳＩＣ（Application  Specific  Integrated  Circuit）およびＦＰＧＡ（Field  Programmable  Gate  Array）などの集積回路を含んでいてもよい。
【００８６】
以上のように、実施の形態１にかかるデータ収集システム１００は、第１電力線７に接続される主親機１と、第１電力線７と第２電力線８に接続され、第１電力線７と第２電力線８との間にデータを送受信する光結合器２４１，２４２を有する副親機２とを備える。主親機１は、電力線搬送通信によって第１電力線７を介して第１電力線７に接続される複数の第１電力量計３からデータを収集する。副親機２は、主親機１が複数の第１電力量計３からデータを収集する期間に、電力線搬送通信によって第２電力線８を介して第２電力線８に接続される複数の第２電力量計４からデータを収集した後、収集した複数の第２電力量計４のデータを主親機１へ第１電力線７を介して送信する。主親機１は、複数の第１電力量計３および複数の第２電力量計４の各々と１つずつ通信してデータを収集する場合に比べ、複数の第１電力量計３および複数の第２電力量計４を含む複数の電力量計のデータを迅速に収集することができる。
【００８７】
また、副親機２は、第１電力線７に接続され、電力線搬送通信を行う第１通信部３１と、第２電力線８に接続され、電力線搬送通信を行う第２通信部４１と、光結合器２４１，２４２の一端に接続された第３通信部３２と、光結合器２４１，２４２の他端に接続された第４通信部４２とを備える。また、副親機２は、第１通信部３１を介して主親機１と通信する第１制御部３３と、第２通信部４１を介して複数の第２電力量計４と通信する第２制御部４３とを備える。第２制御部４３は、主親機１が複数の第１電力量計３からデータを収集する期間に、第２通信部４１を介して順次取得した複数の第２電力量計４のデータを第４通信部４２から光結合器２４１へ順次出力する。第１制御部３３は、複数の第２電力量計４のデータを第２制御部４３から第３通信部３２を介して順次取得し、取得した複数の第２電力量計４のデータを記憶部３４に一時的に記憶した後、記憶部３４に記憶した複数の第２電力量計４のデータを主親機１へ第１通信部３１を介して送信する。このように、収集された第２電力量計４のデータが第１制御部３３側の記憶部３４に記憶されるため、第１制御部３３は、主親機１からデータ送信要求があった場合に、記憶部３４から第２電力量計４のデータを読み出して第１通信部３１を介して主親機１へ送信することができる。そのため、例えば、第２ユニット２７で第２電力量計４のデータを記憶する場合に比べ、第１制御部３３は、主親機１のデータ送信要求に応じて第２電力量計４のデータを主親機１に第１通信部３１を介して迅速に送信することができる。
【００８８】
また、第１制御部３３は、複数の第２電力量計４のデータの各々に副親機２の識別情報を付加し、副親機２の識別情報が付加された複数の第２電力量計４のデータを主親機１へ第１通信部３１を介して送信する。これにより、第２電力量計４がどの系統に存在しているかを容易に把握することができる。例えば、副親機２１の識別情報が付加されている第２電力量計４のデータは、第２系統内の第２電力量計４Ａのデータであると容易に把握することができる。したがって、系統内にどの電力量計が接続されているかを判別することができ、電気設備の保守業務などで停電を行う場合など、系統内に接続されている電力量計を調査する作業が不要となる。
【００８９】
また、第１制御部３３は、複数の第２電力量計４のデータを圧縮して圧縮データを生成し、生成した圧縮データを主親機１へ第１通信部３１を介して送信する。これにより、主親機１による第２電力量計４のデータ収集を迅速に行うことができる。
【００９０】
また、第２制御部４３は、主親機１が第１電力量計３のデータの収集を開始するタイミングに同期したタイミングで、第２電力量計４のデータの収集を開始する。これにより、主親機１による第２電力量計４のデータ収集を迅速に行うことができる。
【００９１】
また、第１電力線７と第２電力線８とは異なる系統の電力線である。これにより、主親機１は、異なる系統に接続された電力量計のデータを収集することができる。
【００９２】
実施の形態２．
実施の形態２にかかるデータ収集システムでは、主親機１が接続された系統に接続された第２電力量計のデータを副親機２が収集する点で、副親機２が主親機１に接続された系統とは異なる系統に接続された第２電力量計のデータを取得する実施の形態１と異なる。以下においては、実施の形態１にかかるデータ収集システム１００と同様の構成については同一符号を付して説明を省略し、実施の形態１にかかるデータ収集システム１００と異なる構成について主に説明するものとする。
【００９３】
図１４は、本発明の実施の形態２にかかるデータ収集システムの構成例を示す図である。図１４に示すデータ収集システム１００Ａは、データ収集システム１００と同様に、主親機１と副親機２とを備えるが、主親機１と副親機２とが同一の系統に接続された電力量計のデータを取得する点で、データ収集システム１００と異なる。
【００９４】
図１４に示す例では、第１電力線７に第１電力量計３１，３２，・・・，３ｎが接続され、第２電力線８に第２電力量計４１，４２，・・・，４ｎが接続される。第１電力線７と、第２電力線８とは同一のトランス６に接続される電力線であり、互いに同じ系統の電力線である。第２電力量計４１，４２，・・・，４ｎは、主親機１に接続された第１電力線７とは離れた位置にあり、主親機１からのデータ送信要求が届きにくい位置にある。
【００９５】
副親機２は、主親機１が第１電力線７に接続された第１電力量計３１，３２，・・・，３ｎのデータを収集する期間に、第２電力線８に接続された第２電力量計４１，４２，・・・，４ｎからデータを収集する。副親機２は、収集した第２電力量計４１，４２，・・・，４ｎのデータを圧縮して圧縮データを生成し、生成した圧縮データを記憶する。そして、副親機２は、主親機１からのデータ送信要求があった場合に、記憶した圧縮データを主親機１へ送信する。
【００９６】
以上のように、データ収集システム１００Ａでは、主親機１が接続される第１電力線７と、副親機２が接続される第２電力線８とが同一の系統の電力線である。したがって、例えば、主親機１からのデータ送信要求が届きにくい位置にある第２電力量計４１，４２，・・・，４ｎが存在する場合であっても、副親機２を介してデータ収集が可能である。しかも、副親機２は、主親機１が第１電力線７に接続された複数の第１電力量計３のデータを収集する期間に、第２電力線８に接続された複数の第２電力量計４からデータを収集するため、主親機１による第２電力量計４のデータ収集を迅速に行うことができる。なお、上述した例では、主親機１からのデータ送信要求が届きにくい位置にある第２電力量計４１，４２，・・・，４ｎのデータを副親機２が収集するが、かかる例に限定されない。第２電力量計４１，４２，・・・，４ｎの位置が主親機１からのデータ送信要求が届きにくい位置でない場合であっても、主親機１による第２電力量計４のデータ収集を迅速に行うことができる。
【００９７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９８】
１  主親機、２，２１，２２  副親機、３，３１，３２，３３，３４，・・・，３ｎ  第１電力量計、４，４１，４２，・・・，４ｎ，４Ａ，４Ａ１，４Ａ２，・・・，４Ａｎ，４Ｂ，４Ｂ１，４Ｂ２，・・・，４Ｂｎ  第２電力量計、６，６１，６２，６３  トランス、７  第１電力線、８，８１，８２  第２電力線、１１  ＡＣ結合部、１２  アナログフロントエンド部、１３  主ユニット、１４  ＰＬＣ通信部、１５  制御部、１６，３４，４４  記憶部、１７  上位通信部、２１  第１ＡＣ結合部、２２  第１アナログフロントエンド部、２３  第１ユニット、２４，２４１，２４２  光結合器、２５  第２ＡＣ結合部、２６  第２アナログフロントエンド部、２７  第２ユニット、３１  第１通信部、３２  第３通信部、３３  第１制御部、４１  第２通信部、４２  第４通信部、４３  第２制御部、９１，９２  結合器、１００，１００Ａ  データ収集システム。
【図１】
2020140479.tif 000003
【図２】
2020140479.tif 000004
【図３】
2020140479.tif 000005
【図４】
2020140479.tif 000006
【図５】
2020140479.tif 000007
【図６】
2020140479.tif 000008
【図７】
2020140479.tif 000009
【図８】
2020140479.tif 000010
【図９】
2020140479.tif 000011
【図１０】
2020140479.tif 000012
【図１１】
2020140479.tif 000013
【図１２】
2020140479.tif 000014
【図１３】
2020140479.tif 000015
【図１４】
2020140479.tif 000016